(57)【要約】【課題】ベルト特有の問題を解決できるタグラグビー等の運動用衣服を提供する。【解決手段】運動用衣服１は、衣服の両側部にタグ６を取り付けるための取り付け部３、４を有しており、前記取り付け部３、４は前記タグ６の取り付け高さが変更可能となる範囲に設けられている。【選択図】図１
2018051238.tif 000002
【特許請求の範囲】
【請求項１】
衣服の両側部にタグを取り付けるための取り付け部を有しており、
前記取り付け部は前記タグの取り付け高さが変更可能となる範囲に設けられている、運動用衣服。
【請求項２】
前記取り付け部は、高さ方向に間隔を空けて複数設けられている、請求項１に記載の運動用衣服。
【請求項３】
裾に紐が設けられている、請求項１または請求項２に記載の運動用衣服。
【請求項４】
運動時に重ね着して用いられる衣服である、請求項１〜３のいずれか一項に記載の運動用衣服。
【請求項５】
タグラグビー用である、請求項４に記載の運動用衣服。
【請求項６】
ビブスである、請求項５に記載の運動用衣服。
【発明の詳細な説明】
【技術分野】
【０００１】
この発明は、タグラグビーなどの競技ないしは遊戯に適した運動用衣服に関する。
【背景技術】
【０００２】
近年、タックルの代わりに、腰に巻いたベルトに付けられたタグを取るタグラグビーが普及している。タグは、ベルトの左右の位置にある面ファスナー（ワンタッチテープ）にそれぞれ１本ずつ付けられている。
【先行技術文献】
【非特許文献】
【０００３】
【非特許文献１】鈴木秀人、″タグラグビーオフィシャルサイト″、［online］、公益財団法人日本ラグビーフットボール協会、［平成２８年９月５日検索］、インターネット〈URL：http://www.tagrugby-japan.jp/〉
【発明の概要】
【発明が解決しようとする課題】
【０００４】
しかしながら、上記のように、ベルトにタグを取り付けたものを使用すると、ベルトを腰に巻くのに手間がかかるという問題や、ベルトの余った部分が運動の邪魔になるという問題があった。さらに、衣服の上からベルトを巻くため、ベルトが目に付きやすく、見栄えが良くないという問題もあった。特に、体育の授業などでタグラグビーを行う場合、ビブスやベルトを生徒が交代で使用することになるが、例えばＡチームからＢチームに交代するとき、Ａチームのメンバー全員がベルトを外してビブス脱ぎ、これらをＢチームのメンバーに手渡して、Ｂチームのメンバー全員がビブスを着てベルトを巻く必要があるため、それだけで授業の大半の時間を費やしてしまうこともある。
【０００５】
そこで、本発明は、ベルト特有の問題を解決できる運動用衣服を提供することを目的とする。
【課題を解決するための手段】
【０００６】
本発明の運動用衣服は、衣服の両側部にタグを取り付けるための取り付け部を有しており、前記取り付け部は前記タグの取り付け高さが変更可能となる範囲に設けられていることを特徴とする。
【０００７】
このような構成によれば、ベルトを用いないため、ベルトを腰に巻くのに手間がかかるという問題や、ベルトの余った部分が運動の邪魔になるというベルト特有の問題が発生しない。また、取り付け部はタグの取り付け高さが変更可能となる範囲に設けられているため、プレーヤーの身長に合わせてタグの高さを調整できる。
【０００８】
また、前記取り付け部は、高さ方向に間隔を空けて複数設けられていてもよい。
【０００９】
これによれば、左右のタグの高さを合わせることが容易になる。
【００１０】
また、裾に紐が設けられていてもよい。
【００１１】
これによれば、紐自体の重みにより裾が動きにくく、また、紐を引き出せば裾が絞られてさらに動きにくくなることから、運動の邪魔になることを抑制できる。
【発明の効果】
【００１２】
本発明の運動用衣服によれば、ベルトを腰に巻くのに手間がかかるという問題や、ベルトの余った部分が運動の邪魔になるといったベルト特有の問題を解決することができる。
【図面の簡単な説明】
【００１３】
【図１】タグが取り付けられた状態のタグラグビー用衣服を示す図である。
【図２】タグを示す図である。
【図３】タグを取り付ける状態を示す図である。
【図４】紐により裾を締めた状態を示す図である。
【図５】取り付け部の変形例を示す図である。
【図６】取り付け部の変形例を示す図である。
【発明を実施するための形態】
【００１４】
図１は、本発明の一実施形態にかかるタグラグビー用衣服１を示している。本実施形態のタグラグビー用衣服１は、ビブスであり、本体２と、第１の取り付け部３と、第２の取り付け部４と、紐５と、を有している。
【００１５】
本体２は、例えばメッシュ状の布地からなり、頭を通すための通し口１５および腕を通すための通し口１６、１７が形成されている。
【００１６】
第１の取り付け部３および第２の取り付け部４は、本体２の両側部にそれぞれ設けられており、面ファスナーからなる。第１の取り付け部３および第２の取り付け部４は、適度な大きさの面ファスナーが用いられることにより、タグ６の取り付け高さが変更可能となる範囲に設けられている。また、第１の取り付け部３および第２の取り付け部４には、タグ６のフック部７が取り付けられるループ部が形成されている。ループ部は、ループ状に密集して起毛されている。
【００１７】
紐５は、本体２の裾の部分が折り返されて形成された紐通しに通されて全周に渡って設けられている。紐５はゴム紐であってもよい。図４に示すように、紐５の端部は、本体２からはみ出しており、操作部８の外側へ向けて紐５を引っ張り出すことで裾周りの本体２の幅を調整して裾を絞ることが可能となっている。操作部８として、任意の位置で紐５を挟み付けるストッパー付きであって、紐５を開放する開放機構付きの公知の留め具が用いられていてもよい。
【００１８】
次に、タグ６について説明する。タグ６は、タグラグビーに用いられるタグであり、各プレーヤーの両側に１本ずつ着脱可能な状態で取り付けられていて、例えば、守る側のプレーヤーは、ボールを持って走ってくるプレーヤーのタグ６をとることでそのプレーヤーの前進を止めることができる。本実施形態のタグ６は、第１の取り付け部３および第２の取り付け部４に対して着脱可能であり、面ファスナーからなる。タグ６には、ループ部に取り付けられるフック部７が形成されている。フック部７は、フック状に起毛している。
【００１９】
次に、タグラグビー用衣服１の着用およびタグ６の着脱について説明する。まず、タグラグビーのプレーヤーは、例えば、Ｔシャツ２０の上からタグラグビー用衣服１を着用する。プレーヤーがタグラグビー用衣服１を着用すると、本体２の両側部に設けられた第１の取り付け部３および第２の取り付け部４は、それぞれプレーヤーの両脇腹付近に位置することになる。その後、タグ６を、図中矢印で示すように、第２の取り付け部４に対して取り付ける。同様に、タグ６を、第１の取り付け部３に対して取り付ける。
【００２０】
このような構成によれば、ベルトを用いないため、ベルトを腰に巻くのに手間がかかるという問題が発生せず、簡単な準備で試合を始めることができる。また、ベルトの余った部分が運動の邪魔になるという問題も発生しない。また、衣服の上からベルトを巻く場合と比べると、ベルトがないため、見栄えが良いと感じられる。さらに、タグラグビー用衣服１を体育の授業などで使用すれば、従来のベルトを着用する場合よりも速やかにチームの交代をすることができるため、本来の体育教育に充てる時間を確保できる。
【００２１】
また、第１の取り付け部３および第２の取り付け部４は、タグ６の取り付け高さが変更可能となる範囲にそれぞれ設けられているため、身長の低い子供が大きなタグラグビー用衣服１を着用した場合にも適度な高さにタグ６を取り付けることができる。したがって、サイズの異なるタグラグビー用衣服１を取り揃えることが難しい場合にも、プレーヤーの身長差や体格差の影響を受けずタグラグビーを実施することができる。
【００２２】
さらに、第１の取り付け部３および第２の取り付け部４の同じ部分にタグ６を繰り返し着脱することで、第１の取り付け部３および第２の取り付け部４のタグ６に対する保持力が弱くなった場合に、第１の取り付け部３および第２の取り付け部４の別の部分にタグ６を取り付けることができる。よって、より長い期間、使用することができる。
【００２３】
また、タグラグビー用衣服１の裾をズボンの中に差し込んだとしても、第１の取り付け部３および第２の取り付け部４のうち、ズボンの外に位置する部分にタグ６を取り付けることができる。
【００２４】
また、タグ６側をフック部７とし、第１の取り付け部３および第２の取り付け部４側をループ部としたため、試合中にプレーヤーの腕などが第１の取り付け部３および第２の取り付け部４と接触したとき、比較的硬い素材からなるフック部７と接触したときのような擦れ感がなく、不快感を抑制できる。
【００２５】
図４は、紐５により裾を締めた状態を示す図である。上述したように、紐５を操作部８から引っ張り出すことで裾周りの本体２の幅を調整することが可能となっている。よって、裾周りの幅を狭くし、体に裾を密着させることで、裾が動くことによって運動の妨げとなることを抑制でき、また、他のプレーヤーにとってタグ６を極度にとりづらくなることを抑制することもできる。また、紐５を締めない場合でも、紐の重みにより、裾の余分な動きを抑制できる。
【００２６】
なお、紐５は、ゴムで形成してもよい。この場合、操作部８を設けなくても、タグラグビー用衣服１を着用するだけで、体に裾を密着させることができ、裾が動くことによって運動の妨げとなることを抑制できる。
【００２７】
図５および図６は取り付け部３，４の変形例を示す図である。
【００２８】
図５に示すように、取り付け部１０を前後方向に間隔を空けて複数設けてもよい。これによれば、タグ６を前の取り付け部１０に取り付けた場合は、後の取り付け部１０に取り付けた場合よりも、他のプレーヤーがタグ６を取りにくくなるので、試合の難易度を変更することができる。
【００２９】
図６に示すように、取り付け部１２を高さ方向に間隔を空けて複数の領域を設けてもよい。これによれば、左右で同じ高さの領域にある取り付け部１２にそれぞれタグ６を取り付けることで、左右のタグ６の高さを合わせることが容易になる。
【００３０】
なお、上述の実施形態は本発明の好適な実施の一例ではあるがこれに限定されるものではなく本発明の要旨を逸脱しない範囲において種々変形実施可能である。
【００３１】
上述したタグラグビー用衣服１は、本発明の好適な一例であって、ビブスの他にも、例えば、袖のあるジャージや前身頃にファスナーのある上着（運動用ジャージの上着など）、ユニフォーム、Ｔシャツ（チーム毎に作成したＴシャツなど）、その他種々の衣服に本発明を適用して、衣服本体の両側部に取り付け部３，４を設けてもよい。
【００３２】
また、本発明は、タグラグビーに適することはもちろんであるが、用途はタグラグビーに限られるものではない。本発明は、タグラグビーに似た競技ないし遊戯（ラグビーボールとは異なるボールを使うもの、ボールの代わりにフリスビーのような飛行物などを使うもの、ボールなどをまったく使わないもの、等）であって、各プレーヤーにタグを着脱可能に取り付けて集団で実施される競技あるいは遊戯などの各種運動用の衣服にも適用することができる。
【符号の説明】
【００３３】
１  タグラグビー用衣服（運動用衣服）
２  本体
３  第１の取り付け部
４  第２の取り付け部
５  紐
６  タグ
７  フック部
８  操作部
１０  取り付け部
１２  取り付け部
１５  通し口
１６  通し口
１７  通し口
２０  Ｔシャツ
【図１】
2018051238.tif 000003
【図２】
2018051238.tif 000004
【図３】
2018051238.tif 000005
【図４】
2018051238.tif 000006
【図５】
2018051238.tif 000007
【図６】
2018051238.tif 000008
【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
衣服の両側部にタグを取り付けるための取り付け部を有しており、
前記取り付け部の高さ方向の大きさは、前記タグのフック部の高さ方向の大きさよりも広い範囲に設けられている、運動用衣服。
【請求項２】
前記取り付け部は、高さ方向に間隔を空けて複数設けられている、請求項１に記載の運動用衣服。
【請求項３】
裾に紐が設けられている、請求項１または請求項２に記載の運動用衣服。
【請求項４】
運動時に重ね着して用いられる衣服である、請求項１〜３のいずれか一項に記載の運動用衣服。
【請求項５】
タグラグビー用である、請求項４に記載の運動用衣服。
【請求項６】
ビブスである、請求項５に記載の運動用衣服。